(57)【特許請求の範囲】
【請求項１】
第１の基地局と、第２の基地局と、前記第１の基地局を主基地局として接続される移動局とを含む移動通信システムであって、
前記移動局において、前記第２の基地局が運用するセルに対するランダムアクセス手順が起動されたときに、前記移動局は、
（ａ）前記第１の基地局からの指示に従って、ランダムアクセス信号を送信すべきセカンダリセルを選択する、
（ｂ）前記移動局において、黙示的な情報を用いて前記ランダムアクセス信号を送信すべきセカンダリセルを選択する、または
（ｃ）前記移動局において、自律的に前記ランダムアクセス信号を送信すべきセカンダリセルを決定する、
のいずれかの方法にしたがって、前記セカンダリセルに対して競合ベースランダムアクセス手順を実施することを特徴とする移動通信システム。
【請求項２】
前記第１の基地局からの指示は、無線リソース制御信号、または前記無線リソース制御信号よりも下位レイヤの信号によって通知されることを特徴とする請求項１に記載の移動通信システム。
【請求項３】
前記黙示的な情報を用いて前記セカンダリセルを選択する場合、または自律的に前記セカンダリセルを決定する場合は、前記移動局に対して、あらかじめ複数のセカンダリセルに対する競合ベースランダムアクセス用の設定項目が設定されており、前記移動局は、前記複数のセカンダリセルの中から、前記ランダムアクセス信号を送信すべき前記セカンダリセルを選択または決定することを特徴とする請求項１に記載の移動通信システム。
【請求項４】
前記移動局は、前記第１の基地局からランダムアクセス用セカンダリセルの変更指示を受信した場合に、前記第２の基地局における前記競合ベースランダムアクセス手順をすべて中止することを特徴とする請求項１に記載の移動通信システム。
【請求項５】
前記移動局は、前記第１の基地局からランダムアクセス用セカンダリセルの変更指示を受信した場合に、前記第２の基地局に対して変更手順完了を報告することを特徴とする請求項１に記載の移動通信システム。
【請求項６】
第１の基地局と第２の基地局を含む移動通信システムで、前記第１の基地局を主基地局として接続される移動局であって、
前記第２の基地局が運用するセルに対するランダムアクセス手順が起動されたときに、
（ａ）前記第１の基地局からの指示に従って、ランダムアクセス信号を送信すべきセカンダリセルを選択する、
（ｂ）前記移動局において、黙示的な情報を用いて前記ランダムアクセス信号を送信すべきセカンダリセルを選択する、または
（ｃ）前記移動局において、自律的に前記ランダムアクセス信号を送信すべきセカンダリセルを決定する、
のいずれかの方法にしたがって、前記セカンダリセルに対するランダムアクセス信号を生成するランダムアクセス処理部と、
生成された前記ランダムアクセス信号を前記セカンダリセルに送信する送信部と、
を有することを特徴とする移動局。
【請求項７】
前記第１の基地局から前記指示を受信する受信部、
をさらに有し、前記指示は、記無線リソース制御信号、または前記無線リソース制御信号よりも下位レイヤの信号に含まれていることを特徴とする請求項６に記載の移動局。
【請求項８】
前記移動局に対してあらかじめ設定された複数のセカンダリセルに対する競合ベースランダムアクセス用の設定項目を格納するメモリ、
をさらに有し、
前記ランダムアクセス処理部は、前記メモリを参照して、前記複数のセカンダリセルの中から、前記ランダムアクセス信号を送信すべき前記セカンダリセルを選択または決定することを特徴とする請求項６に記載の移動局。
【請求項９】
前記ランダムアクセス処理部は、前記第１の基地局からランダムアクセス用セカンダリセルの変更指示を受信した場合に、前記第２の基地局における前記競合ベースランダムアクセス手順をすべて中止することを特徴とする請求項６に記載の移動局。
【請求項１０】
前記ランダムアクセス処理部は、前記第１の基地局からランダムアクセス用セカンダリセルの変更指示を受信した場合に、前記変更を実施し、前記送信部から前記第２の基地局に対して変更手順完了を報告させることを特徴とする請求項６に記載の移動局。
【発明の詳細な説明】
【技術分野】
【０００１】
本発明は移動通信システムと移動局装置に関する。
【背景技術】
【０００２】
３ＧＰＰ（Third Generation Partnership Project）標準化仕様において、複数のコンポーネントキャリア（ＣＣ）を束ねて通信を行うキャリアアグリゲーション（ＣＡ：Carrier Aggregation）が規定されている。
【０００３】
ＬＴＥ（Long Term Evolution）リリース１０までのキャリアアグリゲーションでは、ひとつのｅＮＢ（evolved NodeB：基地局）内で運用される複数のコンポーネントキャリア（ＣＣ）を用いて同時通信を行うことで、スループットを向上させている。
【０００４】
リリース１２では、ｅＮＢ内キャリアアグリゲーションを拡張し、異なるｅＮＢで運用されているコンポーネントキャリアを用いて同時通信を行う"Dual Connectivity"が検討されている（たとえば、非特許文献１、及び非特許文献２参照）。
【０００５】
"Dual Connectivity"は基地局間キャリアアグリゲーション（Inter-eNB Carrier Aggregation）に相当し、スループットのさらなる向上が期待される。たとえば、すべてのコンポーネントキャリアを単一のｅＮＢ内に収容することができない場合にリリース１０と同程度のスループットを実現するには、Dual Connectivityが有用である。
【０００６】
リリース１０以降のＬＴＥは、LTE-Advancedと称される。LTE-Advancedでは、移動局と基地局のタイミングを同期させるためにランダムアクセス手順（「RA procedure」）が起動される。ランダムアクセス（ＲＡ）手順は、初期アクセス時、間欠受信後のデータ再開（DL/UL data resuming）時、ハンドオーバー時、SCellでのタイミング調整（Timing Alignment）時などにトリガされる。
【０００７】
ランダムアクセス（ＲＡ）手順には、非競合ベース（コンテンションフリー）のランダムアクセスと、競合ベースのランダムアクセス（ＣＢＲＡ：Contention Based Random Access）がある。非競合ベースのランダムアクセスは、ネットワークの指示により起動されるＲＡ手順（DL data resumingやハンドオーバー）であり、ネットワークが指定する専用のプリアンブルでＲＡ手順を起動する。競合ベースのランダムアクセスは、ＵＥが自律で起動するＲＡ手順（初期アクセスやDL data resuming）や、専用プリアンブルが不足した際にネットワーク主導で起動されるＲＡ手順を含む。
【先行技術文献】
【非特許文献】
【０００８】
【非特許文献１】3GPP TS36.842
【非特許文献２】3GPP TSG-RAN WG2 Meeting #82, Fukuoka, Japan 20-24 May 2013, R2-131782
【発明の概要】
【発明が解決しようとする課題】
【０００９】
リリース１１までは、主要なコンポーネントキャリア（ＣＣ）を運用するプライマリセル（PCell）でしか、競合ベースのランダムアクセス（ＣＢＲＡ）がサポートされていなかった。そのため、ＣＢＲＡが起動されると、移動局（ＵＥ）は一意にPCellで物理ランダムアクセスチャネル（PRACH）を送信していた。
【００１０】
一方、Dual connectivityでは、異なる基地局のキャリアコンポーネント、たとえばマスターｅＮＢ（MeNB）が運用するキャリアコンポーネントと、セカンダリｅＮＢ（SeNB）が運用するキャリアコンポーネントが用いられる。SeNBではセカンダリセル（SCell）のみがサポートされている。SeNBが運用するセルは、MeNBあるいはＵＥからみたときにすべてセカンダリセル（SCell）として扱われるからである。
【００１１】
現状では、SeNBに対してＣＢＲＡ手順が起動された場合、どのSCellでPRACHを送信すべきかについての規定がない。
【００１２】
そこで、セカンダリセルに対するランダムアクセス手順が起動されたときに、競合ベースのランダムアクセス（ＣＢＲＡ）手順を適正に行うことのできる技術を提供することを課題とする。
【課題を解決するための手段】
【００１３】
上記課題を解決するために、大きく分けて以下の方法が考えられる。
（１）ｅＮＢが明示的にPRACHを送信するSCellを指定する；
（２）ＵＥが黙示的な情報に基づいてPRACHを送信するSCellを特定する；及び
（３）ＵＥが内部情報のみで自律的にPRACHを送信するSCellを決定する。
【００１４】
そこで、本発明のひとつの側面では、第１の基地局と、第２の基地局と、前記第１の基地局を主基地局として接続される移動局とを含む移動通信システムにおいて、
前記移動局で、前記第２の基地局が運用するセルに対するランダムアクセス手順が起動されたときに、前記移動局は、
（ａ）前記第１の基地局からの指示に従って、ランダムアクセス信号を送信すべきセカンダリセルを選択する、
（ｂ）前記移動局において、黙示的な情報を用いて前記ランダムアクセス信号を送信すべきセカンダリセルを選択する、または
（ｃ）前記移動局において、自律的に前記ランダムアクセス信号を送信すべきセカンダリセルを決定する、
のいずれかの方法にしたがって、前記セカンダリセルに対して競合ベースランダムアクセス手順を実施することを特徴とする。
【発明の効果】
【００１５】
セカンダリセルに対するランダムアクセス手順が起動されたときに、競合ベースのランダムアクセス手順を適正に行うことができる。
【図面の簡単な説明】
【００１６】
【図１】Dual connectivityの概略図である。
【図２】実施形態のランダムアクセス方法の概要を示すフローチャートである。
【図３】ｅＮＢからの指示によりPRACH送信用のSCellを指定する第１の例を示すフローチャートである。
【図４】ｅＮＢからの指示によりPRACH送信用のSCellを指定する第２の例を示すフローチャートある。
【図５】システム上の情報を用いてＵＥがPRACH送信用のSCellを選択する方法を示すフローチャートである。
【図６】ＵＥが内部情報のみで自律的にPRACH送信用のSCellを決定する方法を示すフローチャートである。
【図７】ＵＥの概略構成図である。
【発明を実施するための形態】
【００１７】
図１は、Dual connectivityの概略図である。移動局（ＵＥ）１０は、第１の基地局であるマスターｅＮＢ（MeNB）のPCellと、第２の基地局であるセカンダリｅＮＢ（SeNB）のSCellで同時に通信を行っている。図１の例では、マクロｅＮＢがMeNBとして機能し、スモールｅＮＢがSeNBとして機能している。
【００１８】
一般に、MeNB２０−１がDual connectivityを実施するときは、個別のＲＲＣ（無線リソース制御）信号を用いて、Dual connectivity設定／変更要求をＵＥ１０に通知する。この設定／変更要求には、Dual connectivityの対象となるSeNB２０−２のコンポーネントキャリアCC#2に関する情報が含まれている。
【００１９】
ＵＥ１０は、設定／変更要求に応じてSeNB２０−２をDual connectivityの対象に設定あるいは追加し、SeNB２０−２に対してランダムアクセス手順を起動する。このとき、PRACHを送信すべきSCellを決める必要がある。
【００２０】
SCellに対するランダムアクセス手順は、Dual connectivityの設定／変更時の初期アクセスだけではなく、間欠受信（DRX）後のＵＬデータ再開時などにも必要である。
【００２１】
図２は、実施形態のランダムアクセス方法のフローチャートである。ＵＥ１０で、SCellに対するランダムアクセス手順がトリガされると（Ｓ１１）、ＵＥ１０は、所定のルールに従ってPRACHを送信すべきSCellを特定する（Ｓ１２）。
【００２２】
所定のルールは、
（ａ）ｅＮＢにより明示的に示されるSCellにPRACHを送信する；
（ｂ）ＵＥが黙示的な情報を用いて特定したSCellにPRACHを送信する；又は
（ｃ）ＵＥが自律的に決定したSCellにPRACHを送信する；
のいずれかである。
【００２３】
図３は、ルール（ａ）の第１の例を示すフローチャートである。図３の方法では、PRACHを送信すべきSCellは、ＲＲＣ個別信号により明示的に指定される。この例では、ＵＥ１０はＲＲＣ信号を受信し（Ｓ２１）、SeNB２０−２に対してＲＡ手順がトリガされると（Ｓ１１）、ＵＥ１０は、ＲＲＣ信号から、PRACH送信用のSCellを指定する情報を取り出して、指定されたSCellでPRACHを送信する（Ｓ２２）。なお、ＲＣＣ信号の受信（Ｓ２１）とSCellでのRACH送信のトリガ（Ｓ１１）は、必ずしもこの順である必要はなく、逆であってもよい。
【００２４】
ＲＲＣ信号によるSCellの指定は、SCell/SeNB追加（addition）の際のＲＲＣ信号でセミスタティックに指定されてもよい。あるいはSCell/SeNB変更（modification）時にＲＲＣ信号で変更可能にしてもよい。
【００２５】
なお、ＵＥ１０は、ＲＲＣ信号内に特定の情報要素（ＩＥ：Information Element）、たとえば「RACH-ConfigCommon」が含まれている場合に、このSCellがＣＢＲＡ手順を行うSCellとして指定されたとみなしてもよい。
【００２６】
図４は、ルール（ａ）の第２の例を示すフローチャートである。図４の方法では、SCellが設定された後、MAC(Medium Access control)／PHY(physical)信号でPRACHを送信すべきSCellが指定される。
【００２７】
ＵＥ１０はＲＲＣ信号を受信し（Ｓ２１）、SCell／SeNBを設定あるいは追加・変更する（S31）。その後、ＵＥはMAC/PHY信号を受信する（S32）。SeNBのSCellでＲＡＣＨがトリガされると（Ｓ１１）、ＵＥ１０は、MAC/PHY信号に含まれるPRACH送信用のSCellに関する情報に基づいてPRACHを送信する（Ｓ３３）。Ｓ３２とＳ１１の順序は同時であっても逆であってもよい。
【００２８】
MAC/PHY信号によるSCellの指定の仕方として、
(i) ＵＥ１０に対して、あらかじめ複数のSCellに対する競合ベースのランダムアクセス（ＣＢＲＡ）用の設定項目（config）が設定されており、MAC/PHY信号によってダイナミックに指定する構成、
(ii)MAC/PHY信号内で、PRACHを送信すべきSCellの識別情報（SCellIndexまたはCellIndex）を指定する構成、
のいずれを採用してもよい。
【００２９】
尚、あらかじめ競合ベースのランダムアクセス（ＣＢＲＡ）用の設定項目（config）を設定できるSCellの数はUEの能力に依存するため、UEは当該能力をあらかじめ（例えば、RRC connection establishment手順にて）NWに通知し、NWは当該能力に応じて競合ベースのランダムアクセス（ＣＢＲＡ）用の設定項目（config）を設定する。
図３と図４のいずれにおいても、信号で指定するSCellの数が限定されていてもよい。たとえば、ｅＮＢ当たり一つのPRACH送信用のSCellを指定できることとし、信号内でこれを超える数のSCellが指定されている場合は、ＵＥ１０はエラー報告（reconfiguration failure）を報告してもよい。
【００３０】
図５は、ルール（ｂ）によるSCell特定方法のフローチャートである。ルール（ｂ）は、ＵＥが黙示的な情報を用いてPRACHを送信すべきSCellを特定するものである。
【００３１】
ＵＥ１０でSeNBのSCellへのランダムアクセス手順がトリガされると（Ｓ１１）、ＵＥ１０は黙示的な情報を用いて、PRACH送信用のSCellを選択し、選択したSCellにPRACHを送信する（Ｓ４２）。このルールは、ＵＥ１０に対して、あらかじめ複数のSCellに対してＣＢＲＡ用の設定項目（config）が設定されていることを前提とする。ＵＥ１０は、たとえば以下の情報に基づいて、PRACHを送信すべきSCellを特定することができる。
（A）SeNBに対して最初に設定されたSCell。
【００３２】
一般に、あるSeNBで最初にDual connectivityの対象となるSCellが設定されると、最初に設定されたSCellは、そのSeNBの主要な（PCell的な）役割を担うと考えられる。
（B）PUCCH（Physical Uplink Control Channel：物理上りリンク制御チャネル）が設定されているSCell。
これは、Dual connectivityではSeNBで必ず１つ以上のSCellにPUCCHが設定されていることを利用している。PRACH送信用のSCellを特定するためのPUCCHとして、特定の種別のPUCCHに限定してもよい。たとえば、スケジューリング要求のためのPUCCHが設定されているSCellでPRACHを送信してもよい。
【００３３】
PUCCHが設定されているSCellが複数ある場合は、その中から、下記(C)〜(F)のいずれかのロジックにしたがって選択してもよい。
(C) 最もセル番号（SCellIndexあるいはCellIndex）が小さい又は大きいSCell。
(D) 最初にスケジューリングされたSCell。
(E) 常に「Activated」状態のSCell。
【００３４】
常に「Activated」状態のSCellとは、たとえば、SCell非アクティブ化のためのタイマーが「無限」に設定されているSCellである（SCellDeactiationTimer=infinity)。
【００３５】
常に「Activated」状態にないSCellがＣＢＲＡのPRACH送信用のSCellとして選択された場合は、エラー報告を行ってもよい。
(F) 対応する下りリンクに対して共通サーチスペース（ＣＳＳ）が設定されている上りリンクSCell。
【００３６】
対応する下りリンクに共通サーチスペースが設定されていると、ＵＥ１０は自局宛ての制御情報（PDCCH）をサーチすることができるので、これに対応する上りリンクSCellでPRACHを送信するのが有用である。
(G) 複数のタイミングアドバンスグループ（ＴＡＧ：Timing Advance Group）内で最もセル番号（ScellIndex）の小さい又は大きいＴＡＧに含まれるSCell。
【００３７】
ＵＥ１０に設定されているコンポーネントキャリアを無線特性が同等のグループに分けてグループごとにタイミング調整を行う場合に、特定（番号が最小または最大）のＴＡＧに含まれるSCellをPRACH送信用のSCellとする。特定のＴＡＧ内のどのSCellを用いるかについては、上記の(A)〜(F)の基準を用いることができる。
【００３８】
図６は、ルール（ｃ）によるSCell特定方法のフローチャートである。ルール（ｃ）は、ＵＥが自律的にPRACHを送信すべきSCellを特定する。
【００３９】
ＵＥ１０において、SeNBのSCellに対するＲＡ手順がトリガされると（Ｓ１１）、ＵＥ１０はPRACH送信用のSCellを自律的に決定してPRACHを送信する（Ｓ５２）。
【００４０】
ルール（Ｃ）も、ＵＥ１０に対して、あらかじめ複数のSCellに対するＣＢＲＡ用の設定項目（config）が設定されていることを前提とする。ＵＥ１０は、たとえば以下のようにしてPRACHを送信すべきSCellを、自律的に決定することができる。
（A）ランダムに決定する。
（B）ラウンドロビンで決定する。
（C）もっとも最近PRACHを送信したSCellに送信する。
（D）上りリンクが設定されているSCellすべてで行う。この場合、最初にＲＡ応答を受信したSCellとの間で以後のＲＡ手順を継続することとしてもよい。
（E）最もＲＡＣＨ成功率の高いSCellに決定する。ＵＥ１０は各SCellについてRACHの成否をモニタし保存しておく。RACH成功とは、ＲＡ応答（Msg2）を受信できた時点で成功としてもよいし、競合解決（contention resolution）メッセージ（Msg4）の受信をもって成功と判断してもよい。
（F）最もRACH手順完了遅延が小さいSCellに決定する。RACH手順完了遅延は、そのSCellからＲＡ応答を受信するまでにかかる時間、あるいは競合解決メッセージを受信するまでにかかる時間であってもよい。尚、それらの時間平均やブロック平均で判定が行われてもよい。
（G）最も品質のよいSCellに決定する。品質は、ＣＱＩ（Channel Quality Indicator）、  ＲＳＲＰ（Reference Signal Receive Power）、ＲＳＲＱ（Reference Signal Received Quality）、ＰＬ（Path Loss）など、任意の指標を用いて決定することができる。品質がよいSCellではRACH手順が成功する確率が高いからである。ランダムに決定する。
【００４１】
このように、ＵＥ１０はDual connectivityの対象となるSeNBに対して適切なセル（SCell）でPRACHを送信して競合ベースのランダムアクセス（ＣＢＲＡ）手順を行うことができる。
＜変形例１＞
ＣＢＲＡに用いるSCellを変更する場合、ｅＮＢからの変更指示から、ＵＥ１０が変更を完了するまでの間、SeNB２０−２とＵＥ１０間でＣＢＲＡ実施のための不明な期間（ambiguity period）が発生する。そこで、ＣＢＲＡ用のSCellの変更指示が発生する場合には、このSeNB２０−２におけるＣＢＲＡをすべて停止させる必要がある。
【００４２】
これを実現するために、
（１）ＵＥ１０は、ＣＢＲＡ用のSCell変更指示を受けた場合は、このSeNB２０−２に対して起動していたＲＡ手順をすべて中止する。SCellのスケジューリングのためのPDCCH order（下りリンク制御情報）もすべて破棄する。この場合、他のｅＮＢ（たとえばｅＮＢ２０−１やDual Connectivityの対象になっている別のSeNB）に対するＲＡＣＨ手順は、中止しなくてもよい。
（２）ＣＢＲＡ用のSCellの変更時には、必ずハンドオーバーを行う。この場合、ＲＲＣメッセージ内にモビリティ制御情報を含める。ＵＥ１０は、モビリティ制御情報にしたがってあらたなＣＢＲＡ用のSCellとの間でハンドオーバー手順を行う。ハンドオーバー中は、新たな（変更後の）SCellにおいてPRACH送信以外のすべての上りリンク手順が抑制される。この場合も、他のｅＮＢに対するＲＡＣＨ手順は中止しなくてもよい。
＜変形例２＞
ＣＢＲＡ用のSCellの変更指示をＲＲＣ信号にて行う場合、ＵＥ１０は、変更手順完了報告（RCC connection reconfiguration complete）をMeNB２０−１に送信し、MeNB２０−１がSeNB２０−２に対して完了報告を転送することが想定される。
【００４３】
そのような場合、ＵＥ１０とSeNB２０−２の間で不明期間（ambiguity period）が長くなるため、ＵＥ１０から直接SeNB２０−２に対して変更手順完了を報告するのが有効である。
【００４４】
SeNB２０−２に対する変更手順完了報告の方法として以下の方法が考えられられる。
（１）MAC CE（Control Element）による報告
ＵＥ１０は、SeNB２０−２に対して設定されているSCellのうち、ＣＢＲＡ用のSCellとなっているセル番号（SCellIndex）にビットを立てるMAC CEを生成してこれをSeNB２０−２に通知する。
（２）ＲＡＣＨによる報告
変更後のSCellでＣＢＲＡを実施する。変更後のSCellに対してＣＢＲＡが成功した時点で、新たなSCellは変更手順の完了を把握する。ここで、CBARが成功した時点とは、Msg3のCRC OK（かつ、その中に当該UEの識別子が確認できた場合）を確認した場合でもよいし、Msg4（Contention resolution）に対する応答（例えば、DL割り当てに対するACK応答やUL割り当てに対するPUSCH送信）が確認できた場合でもよい。
【００４５】
図７は、ＵＥ１０の概略構成図である。ＵＥ１０は、下りリンク信号受信部１１と、上りリンク信号受信部１２と、ＲＲＣ機能部１３と、ＭＡＣ機能部１４と、メモリ１５と、ＲＡＣＨ処理部１６を有する。
【００４６】
下りリンク信号受信部１１は、下りリンクの信号、たとえばＲＲＣ信号やＭＡＣ／ＰＨＹ信号を受信する。上りリンク信号送信部１２は、上りリンクの信号、たとえば、ランダムアクセス信号を送信する。ＲＲＣ機能部１３は、下りリンク信号受信部１１で受信されたＲＲＣ信号を処理する。
【００４７】
ＲＲＣ機能部１３は、ＣＢＲＡ用SCell情報抽出部１７を有し、ＲＲＣ信号の中からＣＢＲＡ用のSCellを指示する情報を取り出す。ＲＲＣ機能部１３はまた、ＲＲＣ信号に含まれるDual connectivityの設定あるいは変更要求を処理する。Dual connectivityの変更要求の中には、ＣＢＲＡ用SCellの変更指示も含まれる。ＲＲＣ信号にＣＢＲＡ用のSCell変更指示が含まれている場合は、ハンドオーバー用のモビリティ制御情報をさらに抽出する。
【００４８】
ＭＡＣ機能部１４は、基地局からのＣＢＲＡ用SCellの指定がＭＡＣ／ＰＨＹ信号で送られてくる場合は、ＣＢＲＡ用SCell情報抽出部１８にて指定情報を取り出す。また、ＣＢＲＡ用SCellが変更された場合に、変更後のSCellに対する完了報告を作成する。
【００４９】
ＲＡＣＨ処理部１６は、ＲＲＣ信号やＭＡＣ／ＰＨＹ信号でＣＢＲＡ用SCellの指定が通知されない場合は、メモリ１５の情報を参照して、あるいは自律的にＣＢＲＡ用のSCellを決定し、決定したSCellに対してPRACHを生成する。また、ＣＢＲＡ用SCellの変更指示が受信された場合は、SeNB２０−２におけるすべてのＣＢＲＡを停止させる。
【００５０】
この構成により、SCellに対する競合ベースのランダムアクセスが起動される場合や、SCellに変更が生じる場合でも、適切なSCellに対してPRACHを送信することができる。
【符号の説明】
【００５１】
１０  移動局装置（ＵＥ）
１１  ＤＬ信号受信部
１２  ＵＬ信号送信部
１３  ＲＲＣ管理部
１４  ＵＬデータ管理部
【図１】
0005970489.tif 000002
【図２】
0005970489.tif 000003
【図３】
0005970489.tif 000004
【図４】
0005970489.tif 000005
【図５】
0005970489.tif 000006
【図６】
0005970489.tif 000007
【図７】
0005970489.tif 000008